(57)【要約】【課題】本発明は、顕微鏡（１）のズーム系（１０）のズーム駆動軸（４）の回転を検出するための符号化ズームノブ（３）に関するものである。【解決手段】符号化ズームノブ（３）は、ステータ（４０）およびステータ（４０）に対して回転可能なロータ（３０）を備え、ロータ（３０）は、ズーム駆動軸（４）に取り付けられるように構成され、ステータ（４０）は、ロータ（３０）の回転を検知するための回転センサ（４３）を備え、本発明は、さらに、顕微鏡にこの種の符号化ズームノブ（３）を組み込む方法に関するものである。【選択図】図２
2018141973.tif 000002
【特許請求の範囲】
【請求項１】
顕微鏡（１）のズーム系（１０）のズーム駆動軸（４）の回転を検出するための符号化ズームノブ（３）であって、
前記符号化ズームノブ（３）は、ステータ（４０）および前記ステータ（４０）に対して回転可能なロータ（３０）を備え、
前記ロータ（３０）は、前記ズーム駆動軸（４）に取り付けられるように構成され、
前記ステータ（４０）は、前記ロータ（３０）の回転を検知するための回転センサ（４３）を備える、
符号化ズームノブ（３）。
【請求項２】
前記ロータ（３０）は、磁石（３４）を備え、
前記ステータ（４０）は、磁気センサ（４３）を前記回転センサとして備える、
請求項１に記載の符号化ズームノブ（３）。
【請求項３】
前記ステータ（４０）は、前記回転センサ（４３）に動作上接続されている電子部品アセンブリ（４２）を備え、
前記電子部品アセンブリ（４２）は、前記ロータ（３０）の決定された回転に基づいて、前記顕微鏡（１）の前記ズーム系（１０）の倍率情報を監視するように構成される、
請求項１または２に記載の符号化ズームノブ（３）。
【請求項４】
前記電子部品アセンブリ（４２）は、前記ロータ（３０）の決定された回転に基づいて、前記顕微鏡（１）の前記ズーム系（１０）の前記倍率情報を計算するようにさらに構成される、
請求項３に記載の符号化ズームノブ（３）。
【請求項５】
前記ステータ（４０）は、前記顕微鏡（１）のハウジング（７）に取り付けられるように構成される、
請求項１から４のいずれかに記載の符号化ズームノブ（３）。
【請求項６】
前記ステータ（４０）は、前記ハウジング（７）の前記ズーム駆動軸中心線上に取り付けられるように構成される、
請求項５に記載の符号化ズームノブ（３）。
【請求項７】
前記ステータ（４０）は、前記ハウジング（７）の前記ズーム駆動軸中心線の第１の軸端を形成するキャップ（３１）を備える、
請求項６に記載の符号化ズームノブ（３）。
【請求項８】
前記ロータ（３０）は、前記符号化ズームノブ（３）を前記顕微鏡（１）の前記ハウジング（７）に取り付けるための中央ネジ（３５）を備える、
請求項１から７のいずれかに記載の符号化ズームノブ（３）。
【請求項９】
ズーム系（１０）と、
前記ズーム系（１０）を駆動するためのズーム駆動軸（４）と、
前記ズーム駆動軸（４）を動作するためのズームノブ（２）と、
請求項１から８のいずれかに記載の符号化ズームノブ（３）と、
を備える顕微鏡（１）。
【請求項１０】
請求項８に記載の符号化ズームノブを有する請求項９に記載の顕微鏡（１）であって、
前記ハウジング（７）は、アダプタ部材（４１）を備え、
前記アダプタ部材（４１）は、前記符号化ズームノブ（３）の前記ロータ（３０）の前記中央ネジ（３５）に接続されるように構成される、
顕微鏡（１）。
【請求項１１】
顕微鏡（１）に符号化ズームノブ（３）を組み込む方法であって、
前記顕微鏡（１）は、前記顕微鏡（１）のズーム系（１０）のズーム駆動軸（４）を駆動するための少なくとも１つのズームノブ（２）を有し、
前記符号化ズームノブ（３）は、ステータ（４０）および前記ステータ（４０）に対して回転可能なロータ（３０）を有し、
前記ステータ（４０）は、前記ロータ（３０）の回転を検知するための回転センサ（４３）を備え、
前記方法は、
１つのズームノブ（２）を取り外すことによって、前記１つのズームノブ（２）を前記符号化ズームノブ（３）により置換するステップと、
前記符号化ズームノブ（３）の前記ロータ（３０）を前記ズーム系（１０）の前記ズーム駆動軸（４）に取り付けるステップと、
前記符号化ズームノブ（３）の前記ステータ（４０）を前記顕微鏡（１）のハウジング（７）に取り付けるステップと、
を含む方法。
【請求項１２】
前記ハウジング（７）のアダプタ部材（４１）を、前記符号化ズームノブ（３）の前記ロータ（３０）内に設けられている中央ネジ（３５）に接続することによって、前記符号化ズームノブ（３）を前記顕微鏡（１）の前記ハウジング（７）に取り付ける、
請求項１１に記載の方法。
【請求項１３】
請求項９または１０に記載の顕微鏡（１）を動作する方法であって、
前記顕微鏡（１）は、請求項３または４に記載の符号化ズームノブ（３）を有し、
前記ズーム系（１０）の前記倍率情報は、前記顕微鏡（１）の照明ビーム路の開口を制御するために用いられる、
方法。
【発明の詳細な説明】
【技術分野】
【０００１】
本発明は、符号化ズームノブ、符号化ズームノブを有する顕微鏡および顕微鏡に符号化ズームノブを組み込む方法に関するものである。さらに、本発明は、この種の顕微鏡を動作する方法に関するものである。
【背景技術】
【０００２】
観察される対象物の倍率を連続的に調整できるズーム系を有する顕微鏡は、従来技術において広く知られている。ズーム系により提供される倍率の範囲は、ズーム系のいわゆるズーム比または倍率係数によって特徴付けることができる。特にカメラを用いて対象物を撮像するとき、ズーム系のそれぞれの倍率を知っていることは有用である。特に、現在の倍率を監視し、倍率情報をカメラによって生成される画像とともに保存することは有利である。これは、同じ対象物の顕微鏡画像が異なる時点で撮影され、比較される場合、特に有利である。高性能立体顕微鏡のようなハイエンド顕微鏡は、通常、符号化ズーム系を備え、可動ズームレンズを担持するねじ付きスピンドルの回転は、検出および符号化され、ズーム系の現在の倍率を提供する。ねじ付きスピンドルの符号化回転は、ズーム系の倍率に対応し、倍率は、顕微鏡画像とともに決定、保存および／または表示可能である。この種の顕微鏡によって、顕微鏡画像は、再現可能かつ比較可能になる。
【０００３】
しかしながら、安価なズーム顕微鏡は、この種の符号化ズーム系を備えておらず、現在まで、符号化ズーム系を交換すること、または、顕微鏡にこの種の符号化ズーム系を組み込むことは不可能であった。この種のズーム顕微鏡は、典型的には、ズーム駆動軸によって駆動されるズーム系を備え、ズーム駆動軸は、通常、顕微鏡のユーザがズームノブを回転することによって手動で動作される。典型的には、この種の２つのズームノブは、顕微鏡ハウジングのズーム駆動軸中心線の左側および右側に取り付けられる。前記ズームノブの１つを回転することによって、ズーム駆動軸は回転し、その結果、ズーム系の可動レンズが移動し、ズーム系の倍率を変化することができる。
【発明の概要】
【発明が解決しようとする課題】
【０００４】
従来技術の欠点を解決するために、本発明は、独立請求項に従って、符号化ズームノブ、この種の符号化ズームノブを有する顕微鏡および顕微鏡に組み込む方法を提供する。さらに、この種の顕微鏡を動作する方法が提供される。有利な実施形態は、従属請求項の特徴事項および以下の説明である。
【課題を解決するための手段】
【０００５】
本発明の第１の態様によれば、顕微鏡のズーム系のズーム駆動軸の回転を検出するための符号化ズームノブが提供される。符号化ズームノブは、ステータおよびステータに対して回転可能なロータを備え、ロータは、ズーム駆動軸に取り付けられるように構成され、ステータは、ロータの回転を検知するための回転センサを備える。本発明による符号化ズームノブは、少なくとも、ズーム駆動軸の回転を検知または検出するのに必要な要素を備え、ズーム駆動軸自体は、ズーム系を駆動し、ズーム系の倍率を変化する。符号化ズームノブがズーム駆動軸を必ずしも駆動するというわけではない、すなわち、符号化ズームノブ自体は、好ましくは回転可能ではない点に留意されたい。ズーム駆動軸が従来のズームノブによって駆動されることが好ましい。本発明による符号化ズームノブは、２つのズームノブを有し、各々が顕微鏡ハウジングの左側および右側のズーム駆動軸中心線の端にある従来の顕微鏡において、前記従来のズームノブの１つを符号化ズームノブに置換することによって、容易に組み込むことができる。
【０００６】
本発明の第２の態様によれば、本発明による顕微鏡に符号化ズームノブを組み込む方法が提供される。前記顕微鏡は、顕微鏡のズーム系のズーム駆動軸を駆動するための少なくとも１つのズームノブを備える。符号化ズームノブは、ステータおよびステータに対して回転可能なロータを備え、ステータは、ロータの回転を検知するための回転センサを備える。ズーム駆動軸を駆動するための１つのズームノブを、本発明による符号化ズームノブにより置換するステップによって、顕微鏡にはこの種の符号化ズームノブが組み込まれる。１つのズームノブを符号化ズームノブにより置換するステップは、前記１つのズームノブを取り外すステップと、符号化ズームノブのロータをズーム系のズーム駆動軸に取り付けるステップと、符号化ズームノブのステータを顕微鏡のハウジングに取り付けるステップと、を含む。
【０００７】
本発明の第３の態様によれば、ズーム系と、ズーム系を駆動するためのズーム駆動軸と、ズーム駆動軸を動作または駆動するためのズームノブと、本発明による符号化ズームノブと、を備える顕微鏡が提供される。
【０００８】
本発明の第４の態様によれば、顕微鏡を動作する方法が提供され、顕微鏡は、電子部品アセンブリを有する符号化ズームノブを備え、電子部品アセンブリは、ロータの決定された回転に基づいて、倍率情報、例えば、顕微鏡のズーム系の倍率または倍率に対応するパラメータを監視または計算するように構成される。この方法では、ズーム系の倍率情報は、顕微鏡の照明ビーム路の開口を制御するために用いられる。
【０００９】
本発明の利点および実施形態
従来の回転ズームノブを置換するように構成される別の構成要素として符号化ズームノブを構成することによって符号化ズームノブは、符号化ズーム系を直列に備えていない顕微鏡に取り付け可能である。この種のズーム顕微鏡は、通常、ズーム系を駆動するための、すなわちズーム系のレンズ群の位置を調整するためのズーム軸に直交して取り付けられるズーム駆動軸を備える。本発明では、元のズームノブの１つは、ズーム倍率を符号化するための符号化ズームノブにより置換可能である。
【００１０】
好ましくは、ロータは、磁石を備え、一方、ステータは、磁気センサを回転センサとして備える。説明を容易にするために、以下では、保護範囲を限定することなく、ロータが磁石を備え、一方、ステータがホール効果センサのような磁気センサを備えることを理解されたい。
【００１１】
組み込まれた符号化ズームノブによって、固定のステータに対するロータの回転位置を監視することができ、それゆえ、調整されたズーム倍率を監視することができる。
【００１２】
好適実施形態では、ステータは、電子部品アセンブリを備え、電子部品アセンブリは、ステータに対するロータの回転を決定するように構成され、好ましくは、決定された回転に基づいて、顕微鏡のズーム系の倍率情報を監視および／または計算するように構成される。倍率情報は、例えば、現在の倍率自体またはズーム系の倍率に比例した値とすることができる。電子部品アセンブリが、顕微鏡の固定のハウジングに接続されている固定のステータの一部である場合、有利である。電子部品アセンブリは、好ましくは、顕微鏡の制御装置および／またはカメラに接続される。磁気センサからの出力信号を受信することによって、電子部品アセンブリは、ロータの回転位置を決定し、決定された回転位置に基づいて倍率を計算することができる。電子部品アセンブリを、符号化回転ズームノブの外側に、すなわち顕微鏡のハウジングの内側、または、顕微鏡ハウジングの外側にさえ配置することもできる。信号は、電子部品アセンブリと磁気センサとの間で信号線を介してまたは無線方法で伝送可能である。同じことは、電子部品アセンブリと顕微鏡の制御装置またはカメラとの間で伝送される信号にあてはまる。
【００１３】
好適実施形態では、ステータは、顕微鏡のハウジングに、特に顕微鏡ハウジングのズーム駆動軸中心線上に取り付けられるように構成される。符号化ズームノブは、ズーム駆動軸中心線上の反対側の従来の非符号化ズームノブと同様の設計とすることができる。
【００１４】
さらなる好適実施形態では、ステータは、キャップを備え、キャップは、符号化ズームノブの第１の軸端を形成するとともに、顕微鏡ハウジングのズーム駆動軸中心線の第１の軸端を形成する。
【００１５】
好適実施形態では、ロータは、ロータを符号化ズームノブとともに顕微鏡のハウジングに取り付けるための中央ネジを備える。これにより、符号化ズームノブのロータを顕微鏡ハウジングにネジ継手によって接続することによって、符号化ズームノブを容易に組み込むことができる。顕微鏡ハウジングがアダプタ部材を備え、アダプタ部材が符号化ズームノブのロータの中央ネジに接続されるように構成される場合、有利である。アダプタ部材は、特に、元のズームノブが取り外された位置で顕微鏡ハウジングに取り付けられるように形成される。
【００１６】
好ましくは、ステータの外側は（ステータのキャップとともに）、添付図面に示される本発明の実施形態に関連してさらに記載されるように、符号化ズームノブのすべての要素を含む。
【００１７】
上述したように、符号化ズームノブは、ズーム駆動軸の２つの軸端のいずれか１つに組み込まれる。顕微鏡のズーム駆動軸は、２つの軸端を顕微鏡の２つの側面に備える。このように、オペレータは、自分が顕微鏡のどちらの側面に符号化ズームノブを組み込みたいかについて選択してもよい。
【００１８】
本発明のさらに他の態様では、本発明による方法に従う顕微鏡に組み込まれる符号化ズームノブを備える顕微鏡が提供される。
【００１９】
最後に、本発明による顕微鏡を動作する方法が提供され、ズーム系の倍率情報は、顕微鏡照明ビーム路の開口を制御するために用いられる。倍率情報は、本発明による方法に関して上述した電子部品アセンブリによって監視可能であり、または、計算可能でさえある。通常、顕微鏡の倍率が高いほど、十分な輝度の画像を達成するために、多くの光が照明ビーム路において必要である。ズーム顕微鏡の倍率が組み込まれた符号化ズームノブによって監視可能であるので、対応する倍率情報は、有利に用いられ、顕微鏡の照明開口を制御することができる。
【００２０】
さらなる実施形態および請求された本発明の利点は、以下の説明と組み合わせて添付図面から明らかになる。
【図面の簡単な説明】
【００２１】
【図１】組み込まれた符号化ズームノブを有する顕微鏡を概略的な方法で示す。
【図２】図１の組み込まれた符号化ズームノブの拡大図を示す。
【発明を実施するための形態】
【００２２】
図１は、ハウジング７、ズーム系１０および対物レンズ１１を備える顕微鏡１を概略的に示す。顕微鏡１によって撮像される試料または対象物には、６が付される。ズーム系１０のレンズ群８、９の一部の位置は、ねじ付きスピンドル５によってズーム軸に沿って調整可能である。ねじ付きスピンドル５自体は、ズーム駆動軸４によって駆動される。
【００２３】
図１から分かるように、顕微鏡１は、従来の非符号化ズームノブ２および組み込まれた符号化ズームノブ３を有する。非符号化ズームノブ２は、顕微鏡１のオペレータによって回転可能である。ズームノブ２を回転することによって、ズーム駆動軸４は回転し、その回転の結果、ズーム系１０の可動レンズ群８、９を担持するねじ付きスピンドル５が回転する。（ズーム系のタイプに応じて）レンズ群８、９の１つまたは複数の移動の結果、ズーム倍率が変化する。それゆえ、ズーム倍率は、ズーム駆動軸４の回転の関数である。このように、倍率情報は、ズーム駆動軸４の決定された回転から導出可能である。この目的のために、符号化ズームノブ３は、顕微鏡１に組み込まれる。
【００２４】
図２には、組み込まれた符号化ズームノブ３の詳細が示される。
【００２５】
符号化ズームノブ３は、ロータ３０およびステータ４０を備える。ロータ３０は、固定のステータ４０に対して中央の縦軸の周りに回転可能である。ロータ３０は、中央ネジ３５を備え、中央ネジ３５によって、符号化ズームノブ３は、ネジ継手モードにおいて、顕微鏡１のハウジング７のアダプタ部材４１に取り付けられる。さらに、ロータ３０は、ズーム駆動軸４と同一線上の磁石３４を備える。
【００２６】
ステータ４０は、周知のホール効果センサのような磁気センサ４３と、図２に示す実施形態では、電子部品アセンブリ４２と、を備え、電子部品アセンブリ４２によって、磁気センサ４３に対する磁石３４の回転位置を決定し、それゆえ、ズーム系１０の倍率情報を計算することができる。磁気センサ４３および電子部品アセンブリ４２は静止し、ステータ４０に固定される。さらに、ステータ４０は、キャップ３１を含む外部ハウジングを備え、キャップ３１は、顕微鏡１のハウジング７に、取り外された非符号化ズームノブ（図１のズームノブ２を参照）の位置で取り付けられるように形成される。図２から分かるように、キャップ３１を含む外部ハウジングは、符号化ズームノブ３の他の要素を含む。
【００２７】
図２から分かるように、他の実施形態が可能であり、他の実施形態では、ロータ３０は、ズーム駆動軸４とともにキャップ３１に接続され、キャップ３１を回転することによってズーム駆動軸４は、オペレータによって動作可能である。この場合、少なくとも、磁気センサ４３は、固定のステータ４０に接続されているので、磁気センサ４３は、磁石３４の回転を検出することができる。電子部品アセンブリ４２は、ステータ４０内に配置可能でもあり、しかしまた、原則として、磁気センサ４３および電子部品アセンブリ４２がワイヤレスで通信する場合、キャップ３１内に配置可能でもある。
【符号の説明】
【００２８】
１    顕微鏡
２    非符号化ズームノブ
３    符号化ズームノブ
４    ズーム駆動軸
５    ねじ付きスピンドル
６    試料
７    ハウジング
８    レンズ群
９    レンズ群
１０  ズーム系
１１  対物レンズ
３０  ロータ
３１  キャップ
３４  磁石
３５  ネジ
４０  ステータ
４１  アダプタ部材
４２  電子部品アセンブリ
４３  磁気センサ
【図１】
2018141973.tif 000003
【図２】
2018141973.tif 000004
【外国語明細書】
2018141973.tif 000005
2018141973.tif 000006
2018141973.tif 000007
2018141973.tif 000008
2018141973.tif 000009
2018141973.tif 000010
2018141973.tif 000011
2018141973.tif 000012
2018141973.tif 000013
2018141973.tif 000014
2018141973.tif 000015
2018141973.tif 000016
2018141973.tif 000017